(57)【要約】【課題】排出口の開閉操作および排泄物の排出ならびに拭き取り操作を簡便に行うことができるようにし、かつ排出口の密閉の確実性を図ったドレナブル排泄物収容装具を提供する。【解決手段】人体の開口より排出される排泄物を受容するための開口部６を有する袋体２と、この袋体に連通して袋体の下方に延びその端部に前記袋体内に受容された排泄物を排出するための排出口１７を有する筒状の頸状部１６と、この頸状部または袋体部に設けられ前記排出口からの排泄物の流出を閉鎖するための頸状部固定手段（１９，２０）とを備えるドレナブル排泄物収容装具において、前記排出口１７を開放または閉鎖する際に指で力を加えることによって塑性変形させて排出口の開閉状態を維持することが可能な、排出口の開閉補助部材１８を、前記頸状部表面の排出口部に設ける。【選択図】  図１
2005211178.tif 000002
【特許請求の範囲】
【請求項１】
人体の開口より排出される排泄物を受容するための開口部を有する袋体と、この袋体に連通して袋体の下方に延びその端部に前記袋体内に受容された排泄物を排出するための排出口を有する筒状の頸状部と、この頸状部または袋体部に設けられ前記排出口からの排泄物の流出を閉鎖するための頸状部固定手段とを備えるドレナブル排泄物収容装具において、前記排出口を開放または閉鎖する際に指で力を加えることによって塑性変形させて排出口の開閉状態を維持することが可能な、排出口の開閉補助部材を、前記頸状部表面の排出口部に設けることを特徴とするドレナブル排泄物収容装具。
【請求項２】
前記開閉補助部材は、形状保持機能を有する樹脂製の帯状部材、テープ状部材または棒状部材からなることを特徴とする請求項１に記載のドレナブル排泄物収容装具。
【請求項３】
前記開閉補助部材は、形状保持機能を有する無機充填材を含有した樹脂製の帯状部材、テープ状部材または棒状部材からなることを特徴とする請求項１に記載のドレナブル排泄物収容装具。
【請求項４】
前記開閉補助部材は、形状保持機能を有する防水処理した紙製の帯状部材、テープ状部材または棒状部材からなることを特徴とする請求項１に記載のドレナブル排泄物収容装具。
【請求項５】
前記開閉補助部材は、前記排出口と平行に前記筒状の頸状部の両面または片面に設け、かつ前記筒状の頸状部の幅を突出しないように設けることを特徴とする請求項１ないし４のいずれか１項に記載のドレナブル排泄物収容装具。
【請求項６】
前記頸状部固定手段は、前記開閉補助部材を起点として頸状部上方に巻上げた際にその巻上げ部分を固定する手段とすることを特徴とする請求項１ないし５のいずれか１項に記載のドレナブル排泄物収容装具。
【請求項７】
前記巻上げ部分を固定する手段は、面ファスナーまたは粘着により固定する手段とすることを特徴とする請求項６に記載のドレナブル排泄物収容装具。
【請求項８】
前記袋体および頸状部は、人体側と非人体側に配設される２枚のフィルムの周縁部を結合して一体的に形成したものとすることを特徴とする請求項１ないし７のいずれか１項に記載のドレナブル排泄物収容装具。
【請求項９】
前記頸状部における排出口端部には、人体側または非人体側の一側に、他側の頸状部の排出口端部を前記一側から指をかけて広げるための切り欠き部を設けてなることを特徴とする前記請求項１ないし８のいずれか１項に記載のドレナブル排泄物収容装具。
【発明の詳細な説明】
【技術分野】
【０００１】
本発明は、生体の表面に形成された開口に装着し、生体内からの排泄物、排泄液、ガス等（以下排泄物と称する）を一時的に収容し、収容された排泄物を排出する機構を備えたドレナブル排泄物収容装具に関する。
【背景技術】
【０００２】
便、尿の失禁者、消化器系、泌尿器系器官の疾患のため外科的手術を行い腸管や尿管を体表まで導き体表面にストーマを造設した人、或いはその他の疾患で体表面にストーマやフィステルを造設した人は、それらの造設された開口から排出される便、尿、体液等の排泄物を処理するため、排泄物を一時的に貯留できる排泄物収容装具を造設した開口に装着する。この排泄物収容装具は一般に面板と袋体とから構成され、面板は体表面の開口の周囲に粘着固定し、排泄物が漏れないように袋体へ導くと共に袋体を保持する機能を持っている。そして、袋体に溜った排泄物は、そのまま袋体内に入れたまま保持しておくことは好ましくない場合があるので、これを排出して袋内を空にして再度利用することが行われている。このような目的のために、排泄物を排出する排出口とその排出後に再度袋体を使用できるように排出口を閉鎖する手段とを備えた排泄物収容装具が知られている。
【０００３】
前記の排出口を閉鎖する手段としては、袋体の排出口部を巻き上げて面ファスナーや粘着テープで閉鎖するもの、排出口部をジッパーで閉鎖するもの、細い金属線をビニル樹脂で被服した線材を用いた閉鎖クリップで閉鎖するものや、排出口部に特殊な構成を用いた後述する方式等々、種々の方式が提案されている。
【０００４】
特許文献１には、線材で形成される閉鎖クリップを用いた典型的なドレナブル排泄物収容装具（収集袋）が開示されており、図６にその構成を示す。図６は、特許文献１の図１に相当し、部番を変更して示す。特許文献１の記載によれば、図６に示す収集袋は、下記の構成を備える。即ち、「結合された縁部を有する二つの変形長円状のプラスチックフィルムブランク（１ａ、２ａ）によって形成される袋部材を備え、そのブランクのうち一つのブランク（１ａ）は、人間の開口部、特にはストーマ、と接続するための接続部（４ａ）によって囲まれた入口穴（３ａ）を有しており、その袋部材には前記の穴から離れて対向するその縁部（６ａ、７ａ）の間に狭められた出口穴（５ａ）が形成され、その出口穴（５ａ）は、一つのフィルムブランク（１ａ）に取り付けられた中央部（９ａ）を有し突出する端部（１０ａ、１１ａ）を有する閉鎖クリップ（８ａ）によって閉じることができ、その端部（１０ａ、１１ａ）は折りたたみ部（１２ａ、１３ａ）によって中央部（９ａ）と一体になっている構成」を備え、また「前記閉鎖クリップ（８ａ）の端部（１０ａ、１１ａ）は、閉鎖する際に、相互に協同する係止部（１４ａ、１５ａ）を有する」ことを特徴とする。
【０００５】
実際に、上記のようなドレナブル排泄物収容装具（収集袋）を使用する場合には、袋体に取り付けられた面板（図６の接続部（４ａ））を直接皮膚に貼るような所謂１ピース装具であれば、装具を身体に取付けたままの状態で、閉鎖手段を開放して袋体の下部の排出口から袋内の排泄物を便器等へ流し入れるようにする。そして、袋体下部の排出口の汚れている個所をトイレットペーパーなどでふき取り、再び閉鎖手段で排出口を閉じ、元に戻して作業を終える。
【０００６】
こうした一連の作業は通常便所の中で行わなければならず、便所は一般的に狭くて暗いし、作業を中腰で行う必要もある。特に、一度開放した袋体の排出口を再び閉鎖する際には、身体に取付けた袋体を取外すことなく、身体を支えることができない状態で作業を行う場合もあり、袋体の閉鎖手段を正確な位置で適用することは大変難しい。その上、こうした人工肛門を造設して装具を使用する人は一般に高齢者が多いので、視力が弱っているし、手先の器用さも劣って来ていることもあって困難さが増す。また、前記袋体はプラスチックフィルム製でフィルム同士が滑り易く、通常透明なフィルムで形成されているので、白い下着や肌の色との間で袋体下部の輪郭がはっきりとせず、高齢者にとっては一層その作業が困難となる。更に、通常、スト−マは下腹部に造設されるので、うつむいた状態でこれらの一連の操作を行う必要があるが、これらの操作を確実に行うのは極めて困難である。
【０００７】
上記のような作業において、袋体の排出口の開放または閉鎖作業を容易にすることを目的とした提案が種々行われている（例えば、特許文献２〜４参照）。特許文献２および３に開示されたドレナブル・オストミーパウチは、類似機能を用いた構成を備えるので、特許文献２について、その概要を以下に述べる。
【０００８】
特許文献２に開示された代表的なドレナブル・オストミーパウチの構成を図７に示す。図７は、特許文献２の図１および図５に相当し、部番を変更して示す。特許文献２の請求項１の記載（和訳）によれば、図７に示すドレナブル・オストミーパウチは、下記の構成を備える。即ち、「可撓性のシート材料からなる第１又は近位（人体側）の側壁（１ｂ）及び第２又は遠位の側壁（２ｂ）を有し、これらの側壁は互いにシールされ両側壁間に室を画成して前記近位の側壁にある開口（８ｂ）を通る排泄物を受けるようになっており、
側壁の長手方向に下方へ広がり前記長手方向に対し横に広がる排出口（５ｂ）に終わる長く伸びた排出部を有し、前記排出口（５ｂ）に密接し且つ排出口に沿って延び、それぞれ前記排出部の前記第１及び第２の側壁の外表面に例えば熱シール又は粘着により取り付けられたPET、ナイロン、高密度ポリエチレン又は低密度ポリエチレンのような比較的堅い材料からなり曲げることができ強さを増した第１又は近位側及び第２又は遠位側のストリップ（６ｂ，７ｂ）を有し、パウチは更に前記第１及び第２の強さを増したストリップ（６ｂ，７ｂ）を少なくとも２回、好ましくは３回上方へ回転させて形成される巻き付け部を固定するための固定手段（９ｂ，１３ｂ）を含むことを特徴とする。」なお、図７において、固定手段の（９ｂ，１３ｂ）は、それぞれ、ベルクロファスナーのストリップであり、８ｇは腸内ガスを排出するための開口、３ｇ，４ｇは腸内ガス分離用の中間壁とその端部、３ｓ，３ｔは各分離空間、４ｂは面版を示す。
【０００９】
即ち、特許文献２および３に開示されたドレナブル・オストミーパウチは、排出口に近接するフィルムのそれぞれの側に板状で硬く、かつバネの性質をもったプラスチック部材（図７における６ｂ，７ｂ）を設け、この２枚の部材の両端を指で、図７においてＲ４で示すように押した際に、排出口が開放するような構成としたものである。
【００１０】
一方、特許文献４には、排出口に近接するフィルムの一方又は双方の側に弓形のバネの性質をもった部材を設け、通常の状態では排出口が開放された状態を維持し、排出口を閉じるときには指でその弓形部材を押すものが示されている。図８は、特許文献４の図１に相当し、部番を変更して示す。特許文献４の請求項１の記載（和訳）によれば、図８に示すドレナブル・オストミーパウチは、下記の構成を備える。
【００１１】
即ち、「可撓性のシート材のほぼ平行な側壁（１１ｃ）が縁部に沿って結合されて側壁間に画成される室と、下方に延び前記室からの内容物を排出させるための排出開口（１７ｃ）に終わる頸状部（１６ｃ）とを有するパウチ（１０ｃ）を備え、前記パウチは前記頸状部の壁部を前記開口と共に締め且つ前記頸状部（１６ｃ）を上方へ折り畳むことによって閉じられるドレナブル・オストミーパウチにおいて、前記頸状部（１６ｃ）の前記側壁の少なくとも一方は、前記排出開口（１７ｃ）に密接してアーチ状の横方向に延びるスプリング部材（２０ｃ，２１ｃ）を設けてなり、前記スプリング部材と前記一方の側壁とは通常は前記頸状部の前記側壁の他方から外方へ離れるように弓形に曲がって前記排出開口を通常開いた状態に保持し、また指で押すことによって前記開口（１７ｃ）を閉じるための真直ぐな状態に自由に変えられるようになっており、更に前記スプリング部材（２０ｃ，２１ｃ）を真直ぐな状態に選択的に保持するための手段（２２ｃ〜２５ｃで示す部分）を有することを特徴とする。」なお、前記２２ｃ〜２５ｃで示す部分は、例えば、ベルクロファスナーのような締結手段を示し、前記スプリング部材（２０ｃ，２１ｃ）を真直ぐな状態に締結固定する機能を有する。また、図８において、１５ｃは面版、１４ｃは面版部の開口、１３ｃは前記可撓性のシート材からなる側壁の溶着接合部を示す。
【００１２】
【特許文献１】特表平１０−５１１２７４号公報（第２−７頁、図１−５）
【特許文献２】国際公開第０３／０８６２５０号パンフレット（第６−１３頁、図１−５）
【特許文献３】国際公開第０３／０６５９４４号パンフレット（第５−１４頁、図１−５）
【特許文献４】国際公開第０２／１０２２８８号パンフレット（第４−９頁、図１−９）
【発明の開示】
【発明が解決しようとする課題】
【００１３】
しかしながら、前述の特許文献２〜４に開示されたような排泄物収容装具にはいくつかの問題がある。即ち、前者（特許文献２および３）のような排泄物収容装具においては、排出口をバネ力に抗して、指で押さえていないと排出口が元の閉じた状態に戻ってしまうため、上述したように高齢者が開口操作をするのは難しく、排出口が不意に閉じて排泄部が飛散する恐れがある。更に、排泄物を排出しようとする際には、両手を使い排泄物を絞り出すようにする方が排出し易いし、又、排出口を閉める前に排出口先端部を拭き取る必要があるが、前述のようなバネ作用により自動的に閉鎖する手段の場合には、排出口の開放形状を維持すべく、片手で排出口を押さえながら操作する必要があり、非常に煩雑な操作を強いられる問題があった。
【００１４】
一方、後者（特許文献４）のような排泄物収容装具の場合には、前者とは逆に、力を入れない状態では排出口が、バネ作用により常に開いているので、排出操作や拭き取りには有効な装具であるが、排出口を閉める際には、手で押さえつける必要があり、高齢者にとっては特に、排出口を閉める操作が難しく、排出口が完全に閉じられないまま巻き上げ操作をしてしまった場合には、排泄物が漏れる可能性が高くなる。又、排出操作を開始するために頸状部を下方へ折り戻すときには、注意していないと排出口がバネ作用により積極的に開こうとするので、排泄物が突出してしまう恐れがある。
この発明は、上記のような問題点に鑑みてなされたもので、本発明の課題は、上記のようなストーマ用装具を身体に取付けた状態においても、排出口の開閉操作および排泄物の排出ならびに拭き取り操作を簡便に行うことができるようにし、かつ排出口の密閉の確実性を図ったドレナブル排泄物収容装具を提供することにある。
【課題を解決するための手段】
【００１５】
上述の課題を解決するため、本発明のドレナブル排泄物収容装具においては、人体の開口より排出される排泄物を受容するための開口部を有する袋体と、この袋体に連通して袋体の下方に延びその端部に前記袋体内に受容された排泄物を排出するための排出口を有する筒状の頸状部と、この頸状部または袋体部に設けられ前記排出口からの排泄物の流出を閉鎖するための頸状部固定手段とを備えるドレナブル排泄物収容装具において、前記排出口を開放または閉鎖する際に指で力を加えることによって塑性変形させて排出口の開閉状態を維持することが可能な、排出口の開閉補助部材を、前記頸状部表面の排出口部に設けることを特徴とする（請求項１）。
【００１６】
前記請求項１の発明によれば、排泄物の排出の際には、前記開閉補助部材を備えた排出口部を指で押し広げることにより、その開放状態の開口形状を容易に保持することができるので、両手を使って排泄物の排出作業ができる。また、排出作業後の排泄物の拭き取り作業も、開口形状が保持された状態にあり、また開閉補助部材に腰がある（頸状部に比較して硬さがある）ので、比較的容易となる。さらに、排出口を、再度、閉鎖する場合には、開閉補助部材を備えた排出口部を、指で押圧し、開閉補助部材を元の平坦形状に戻して閉鎖し、頸状部固定手段で固定することにより、排出口の密閉の確実性が確保できる。
【００１７】
前記請求項１の発明の実施態様としては、下記請求項２ないし９の発明が好ましい。即ち、請求項１に記載のドレナブル排泄物収容装具において、前記開閉補助部材は、形状保持機能を有する樹脂製の帯状部材、テープ状部材または棒状部材からなることを特徴とする（請求項２）。開閉補助部材としては、前述のような細い金属線をビニル樹脂で被服した線材（例えば、（株）共和製の商品名「ビニタイ」）を使用することも可能であるが、金属線を含む場合には、錆びの発生や焼却不可能の問題があるので、請求項２の発明のように樹脂製を使用するのが好ましい。樹脂製の開閉補助部材の詳細については後述するが、ポリエチレンやポリプロピレンの細線やプレートを使用した市販の樹脂製形状保持材を適用することができる。又、この樹脂製材料の代わりに無機充填材を含有した樹脂製材料（請求項３）、又は防水処理した紙製の材料（請求項４）で閉鎖補助部材を形成することもでき、この場合も金属線を使用せずとも形状保持機能を有することができる。
【００１８】
また、前記請求項１ないし４のものにおいて、前記開閉補助部材は、前記排出口と平行に前記筒状の頸状部の両面または片面に設け、かつ前記筒状の頸状部の幅を突出しないように設ける（請求項５）。本構成によれば、開閉操作が簡便となる機能を果たす上で設計上、リーズナブルであり、又、排泄物収容装具の装着時に開閉補助部材が衣服の上から又は直接皮膚に接触することがないので、比較的硬い開閉補助部材の接触による違和感や不快感がなく、開閉補助部材の両端部を衣服等に引っ掛けてしまうこともない。
【００１９】
さらに、排出口の密閉の確実性と操作の簡便性の向上の観点から、下記請求項６の発明が好ましい。即ち、前記頸状部固定手段は、前記開閉補助部材を起点として頸状部上方に巻上げた際にその巻上げ部分を固定する手段とすることを特徴とする（請求項６）。
【００２０】
さらにまた、固定操作の簡便性の観点から、下記請求項７の発明が好ましい。即ち、前記巻上げ部分を固定する手段は、面ファスナーまたは粘着により固定する手段とすることを特徴とする（請求項７）。
【００２１】
また、前記請求項１ないし７のいずれか１項に記載のものにおいて、前記袋体および頸状部は、人体側と非人体側に配設される２枚のフィルムの周縁部を結合して一体的に形成したものとする（請求項８）。本構成によれば、前記袋体および頸状部の製造が容易となり、コストが低減できる。
【００２２】
さらに、前記請求項１ないし８のいずれか１項に記載のものにおいて、前記頸状部における排出口端部には、人体側または非人体側の一側に、他側の頸状部の排出口端部を前記一側から指をかけて広げるための切り欠き部を設けてなるものとする（請求項９）。詳細は後述するが、本構成によれば、排出口の開放操作性がさらに向上する。
【発明の効果】
【００２３】
本発明によれば、ドレナブル排泄物収容装具において、排泄物を排出するための排出口を開放または閉鎖する際に、指で力を加えることによって塑性変形させて排出口の開閉状態を維持することが可能な排出口の開閉補助部材を、前記排出口部に設けたことにより、排出口の開閉操作が容易となり、また排泄物の排出ならびに拭き取り操作を簡便に行うことができるようになる。さらに排出口の密閉の確実性を向上することができる。
【発明を実施するための最良の形態】
【００２４】
図１〜５に基づき、本発明の実施形態について述べる。図１は、本発明の第１の実施形態の、ａは正面図、ｂはａのＢ-Ｂ線に沿う縦断面図であり、排出口が開放状態にある図を示す。図２は、図１の実施形態において、排出口を上方に折り畳んで、排出口を開放状態から閉鎖状態に固定するまでの説明図で、ｅは閉鎖固定状態の部分背面図、ａ〜ｄは、排出口開放状態から閉鎖固定状態のｅに至る経過を説明する部分断面図である。
【００２５】
図１において、１は面板、２は袋体、３はフランジ層、４は粘着層、５は剥離フィルム、６は開口、７は袋体の内側フィルム、８は袋体の外側フィルム、９は人体と袋体との接触を快適にするための不織布、１０は袋体の内部空間、１１は腸内ガスを排出するためのガス排出用通気口、１２は脱臭フィルター、１３は腸内ガス分離用の中間壁、１４は中間壁と袋体の外側フィルムとの結合箇所、１５は袋体の外周縁、１６は筒状の頸状部、１７は排出口、１８は開閉補助部材、１９は第１の固定手段、２０は第２の固定手段を示す。
図１の実施形態に係るドレナブル排泄物収容装具は、前記図７に示した装具の基本構成と類似しているので、基本構成に関わる説明や各部の機能の詳細については、一部を除いて、その説明を省略する。
【００２６】
図１において、面板１、袋体２を構成する素材には、従来と同様のものを使用することができる。面板のフランジ層３には、ポリエチレン、エチレン・酢酸ビニルコポリマー、エチレン・アクリル酸エチルコポリマー、エチレン・アクリル酸メチルコポリマー、ポリプロピレン、ポリ塩化ビニル、ポリエステル、ポリアミド等の材料を単独で、又は組み合わせて使用することができる。粘着層４には親水性ポリマーと疎水性ポリマーとからなる公知のハイドロコロイド材を使用することができる。袋体２の両フィルム７、８、には、ポリ塩化ビニリデン、ポリエチレン、ポリプロピレン、ポリ塩化ビニル、塩素化ポリエチレン、ポリアクリルニトリル、エチレン酢酸ビニルコポリマー、又はこれらに他の樹脂をブレンド又は共重合させた単体フィルム、複合フィルムを使用することができる。不織布９としては例えばポリプロピレン/ポリエチレン・コンジュゲート不織布を使用することができる。上記袋体２の両フィルム７、８は、外周縁において、筒状の頸状部を含めて、溶着により一体となるように形成される。
【００２７】
次に、固定手段について述べる。図１の実施形態において、第１の固定手段１９および第２の固定手段２０は、図２に示すように、排出口１７を上方に折り畳んで、排出口を閉鎖状態に固定する場合に用いる、面ファスナーであり、図２のｄで示すように、第１の固定手段１９と第２の固定手段２０とが重なることにより固定される。この場合、排出口１７は、開閉補助部材１８を起点として頸状部１６の上方に巻上げられ、その巻上げ部分が固定される。これにより、巻上げ部分の複数の面は平坦なシール面として機能し、排出口から排泄物が漏出することを確実に防止することができる。
なお、第１の固定手段１９および第２の固定手段２０は、図２のｅに示すように、開閉補助部材１８の幅に等しいかもしくは若干小さい寸法の底辺を有する略三角形状であり、特に第１の固定手段１９は、三角形の底辺部分のみを袋体のフィルムに結合したフラップ状を有するので、三角形の頂点付近を指で操作することにより、開閉時の巻上げおよび巻き戻しを行う際に、操作性がよい利点がある。又、排出口に近い方の第１の固定手段１９をフラップ状にすることで、図２のａ〜ｄの一連の巻上げ状態の図が示すように、巻上げていく操作をするだけで自然に第１の固定手段と第２の固定手段とを係合させることができるので、片手でも固定操作ができる固定手段の構成となる。
第１の固定手段１９および第２の固定手段２０の面ファスナーとしては、公知のフックとループによる係合、突起部とそれを受容する凹部による係合を用いた面ファスナーを使用することができる。
【００２８】
次に、開閉補助部材１８について述べる。開閉補助部材１８は、前述のように、ポリエチレンやポリプロピレンの細線やプレートを使用した市販の樹脂製形状保持材、例えば、積水化学工業（株）製の超延伸シートや樹脂製形状保持テープ、三井化学（株）製の形状保持材、商品名「テクノロート」等を用いることができる。前者はポリオレフィン（ＰＥ，ＰＰ）を一軸方向に高倍率延伸した高強度・高弾性率のシートやテープである。また、後者のテクノロートは、例えば、直径０．６７ｍｍのポリエチレン細線を芯材とし、ポリエチレンを外装フィルムとして組み合わせてテープ状としたものであり、針金のように自在に折り曲げることができ、また、折り曲げ時の曲げ戻りもほとんどないのが特徴である。前者および後者共に、用途に応じて、断面形状，形状保持性，強度等に関して種々のタイプがあるので、前記排出口の開閉操作とその際の形状保持のために、好適に利用できる。
又、別の材料として、開閉補助部材１８には、無機充填材を含有した樹脂製の材料を使用できる。この材料は、ポリオレフィン（ＰＥ，ＰＰ）樹脂に無機充填材（タルク、炭酸カルシウム、酸化チタン等）を混合した溶融樹脂を、押し出し又は延伸することにより形成することができる。このように無機充填材を樹脂に混合することで、樹脂にある程度の腰をもたせながら、排出口の開閉状態を維持できる塑性変形性、即ち形状保持機能を付与することができる。
更に別の材料として、  開閉補助部材１８は、形状保持機能を有する防水処理した紙製の材料を使用できる。防水処理としては、紙に疎水性の樹脂をコーティングする方法又は、樹脂製のフィルムやシートを紙に被覆又はラミネートする方法等が採用できる。このような処理をすることで、紙製の閉鎖補助部材が、排泄物の水分や洗浄時の水を吸収し、強度が落ちたり、破壊されたりすることを防ぐことができ、さらに紙に閉鎖補助部材として取り扱い易い適度な腰を付与することができる。
【００２９】
次に、開閉補助部材１８の適応範囲とその理由について述べる。まず、サイズ、形状（幅、厚み、長さ等）について述べる。基本的には、どのような形状（波形であったり、多角形を連続させて繋げたような形状等）でもよい。特に、長方形が巻上げのし易さ、排出口の密閉性に対して好適で、更にその長方形の両端を斜めにカットして略台形にすれば、巻上げて固定したときに、開閉補助部材両端部の皮膚への接触が少なく、違和感がない。
長さ（頸状部の上下方向の寸法）は、0.5mmの針金状から100mmくらいの板状のものまで可能である。ただし、開閉補助部材を巻上げて使用するためには、5〜50mmが好ましい。幅（頸状部の左右方向の寸法）は、密閉性を確保するためには、筒状の頸状部１６の全長幅（頸状部材の溶着に掛かるまで）を有することが好ましいが、排出口の開放状態を維持するためには、排出口幅の１／２以上あれば良い。厚みは、0.1〜2.0mmの範囲が好ましく、0.1mm以下であると巻上げ固定する時に巻上げる起点として取り扱いづらく、2.0mm以上であると弱い力で曲げ難く、形状保持機能も発揮し難くなる。なお、この開閉補助部材１８は、頸状部表面の排出口部、即ち排出口１７に隣接する又はその近傍の頸状部表面に、接着、粘着、溶着等の結合手段により設置される。
【００３０】
次に、図３について述べる。図３は図１とは異なる実施形態を示し、フラップ状の面ファスナを人体と反対側のフィルムに取り付けた場合を示す。図３のａは部分正面図、ｂは部分断面図、ｃは固定した状態の部分背面図である。基本的な作用効果は、図１の実施形態と同様であるが、図３の実施形態の場合には、第１の固定手段１９に排泄物が比較的付着し難く、操作性もよい利点がある。
【００３１】
次に、図４について述べる。図４はさらに異なる実施形態を示し、一対のフラップ状の面ファスナに代えて、粘着式固定手段２１を用いた例を示す。図４のａは部分正面図、ｂは部分断面図、ｃは排出口１７を開閉補助部材を起点として３回折りたたみ固定した状態の部分背面図、ｄは４回折りたたみ固定した状態の部分背面図である。図４において、粘着式固定手段２１は、ａの正面図に示すように、略、Ｔ字形状でかつ板状をしている。そして、Ｔ字の水平の辺が、図４のｂに示すように、袋体の内側フィルム７に固定されており、Ｔ字の垂直の辺の袋体の内側フィルム７側の面に粘着層が設けられている。これにより、図４のｃまたはｄに示すように、開閉補助部材を起点として折りたたんだ際に、前記粘着層を袋体の外側フィルム８に粘着させることにより、排出口の閉鎖固定を達成することができる。
図４の場合も、基本的な作用効果は、図１および図３の実施形態と同様であるが、面ファスナーに比較して、固定手段のコストが低減する利点がある。また、固定手段が排泄物等で汚れた場合の交換も容易となる利点がある。
これまで、固定手段としては面ファスーと粘着による手段を説明したが、巻上げた頸状部を固定できるものであればボタンやクランプ等の公知の固定手段で代替することもできる。
【００３２】
次に、図５について述べる。図５は排出口部のさらに異なる実施形態を示し、前記請求項９に関わる実施形態を示す。図５ａ，ｂ，ｃは、いずれも、頸状部１６における排出口端部には、人体側または非人体側の一側に、他側の頸状部の排出口端部を前記一側から指をかけて広げるための切り欠き部２２を設けた例であって、それぞれ異なる実施形態を示す。ａの実施形態は開閉補助部材１８を設けた側と反対側に切り欠き部２２を設けた場合を示し、ｂの実施形態は開閉補助部材１８自体に切り欠き部２２を設けた場合を示し、ｃの実施形態は頸状部１６において、一側に切り欠き部２２を設けた部分の同一側上方に、開閉補助部材１８を設けた場合を示す。
いずれの場合でも、切り欠き部２２に指をかけて、他側の頸状部１６の排出口端部を広げることができるので、本実施形態の構成によれば、排出口の開放操作性がさらに向上する。なお、図５においては、開閉補助部材１８を頸状部１６の一側にのみ配設する例を示したが、両側に配設してもよい。両側に配設した場合であっても、切り欠き部２２を設けるのは一側である。
【図面の簡単な説明】
【００３３】
【図１】本発明のドレナブル排泄物収容装具の構成に係る実施形態を示す図。
【図２】図１の実施形態において、排出口を上方に折り畳んで、排出口を開放状態から閉鎖状態にして固定するまでの説明図。
【図３】本発明の図１とは異なる実施形態を示す図。
【図４】本発明の図１とはさらに異なる実施形態を示す図。
【図５】本発明に関わる排出口部のさらに異なる実施形態を示す図。
【図６】特許文献１に開示された従来のドレナブル排泄物収容装具を示す図。
【図７】特許文献２に開示された従来のドレナブル排泄物収容装具を示す図。
【図８】特許文献４に開示された従来のドレナブル排泄物収容装具を示す図。
【符号の説明】
【００３４】
１  面板
２  袋体
３  フランジ層
４  粘着層
６  開口
７  袋体の内側フィルム
８  袋体の外側フィルム
１５  袋体の外縁部
１６  頸状部
１７  排出口
１８  開閉補助部材
１９  第１の固定手段
２０  第２の固定手段
２１  粘着式固定手段
２２  切り欠き部
【図１】
2005211178.tif 000003
【図２】
2005211178.tif 000004
【図３】
2005211178.tif 000005
【図４】
2005211178.tif 000006
【図５】
2005211178.tif 000007
【図６】
2005211178.tif 000008
【図７】
2005211178.tif 000009
【図８】
2005211178.tif 000010